(57)【特許請求の範囲】
【請求項１】
設置面に取り付けられる立管形状の基部と、
前記基部の管内に挿通されるホースと、
前記基部の上端に着脱可能であり前記ホースからの水を吐水する吐水ヘッドと、
を備え、
前記吐水ヘッドは、前記基部の上端に載置されるように接続部材を介して前記基部に装着され、前記接続部材を介して前記ホースと接続され、前記接続部材によって少なくとも前記基部の管内に挿通された前記ホースの軸と直交する第１の回転軸周りに回転可能に構成され、
前記基部は、前記設置面よりも上に開口する出入口をなすとともに前記設置面に対して垂直方向に前記ホースを挿通させるホース挿通孔を有し、
前記接続部材は、前記基部に装着される装着部と、前記吐水ヘッドとともに前記第１の回転軸を構成する回転軸構成部と、を有し、前記吐水ヘッドが前記基部に装着された状態において、前記装着部を前記基部の内部に収容させるとともに、前記装着部と前記回転軸構成部との間に設けられた鍔状の部分により前記出入口を塞ぎ、
前記吐水ヘッドは、前記接続部材によって前記基部の管内に挿通された前記ホースの軸である第２の回転軸周りに回転可能に構成され、
前記吐水ヘッドは、前記基部に装着された状態で、前記第１の回転軸による回動、及び前記第２の回転軸による回動が可能であり、
前記吐水ヘッドを前記基部に装着した状態において、前記第２の回転軸を、前記基部と同軸とするとともに、前記基部及び前記吐水ヘッドにより、前記第１の回転軸による回動について前記基部と前記吐水ヘッドの間の角度が略９０°の全体Ｌ字型の状態が可能な吐水部を構成することを特徴とする水栓装置。
【請求項２】
前記接続部材に形成され前記吐水ヘッドと接続される吐水ヘッド接続部と、
前記接続部材に形成され前記ホースと接続されるホース接続部と、
前記吐水ヘッド接続部を覆う吐水ヘッドカバーと、
前記基部に形成され前記ホース接続部を収容する収容凹部と、
を備えることを特徴とする請求項１に記載の水栓装置。
【発明の詳細な説明】
【技術分野】
【０００１】
本発明は水栓装置に関し、特に、吐水ヘッドを基部から引き出して使用可能な水栓装置に関する。
【背景技術】
【０００２】
従来、使用者等の操作によって吐水ヘッドの位置や傾きを調整可能に構成した水栓装置が知られている。また、カウンターや洗面台等の設置面に固定された管状の基部と、基部の管内を挿通して給水源に接続されたホースを連結され、管状体から取り外し可能な吐水ヘッドと、を備えるプルアウト式の水栓装置も知られている。このようなプルアウト式の水栓装置では、水栓装置の吐水方向や吐水角度の自由度向上に関して様々な工夫が為されている。
【０００３】
例えば、特許文献１には、設置面としてのカウンターに立設される管状の基部と、基部の管内に挿通されたホースと、ホースに連結されていて前記基部の上端に着脱可能な吐水ヘッドと、を備えたホース収納式水栓であって、基部の途中位置に人力で屈曲可能な関節部を設けたものが開示されている。このホース収納式水栓によれば、管状体に装着された状態での吐水ヘッドの位置や角度の選択範囲が広くなる。
【０００４】
特許文献２には、設置面としての洗面台等に固着された取付基部と、この取付基部に固定された多関節形状の支持アームと、この支持アーム先端に固定された吐水ヘッドと、を備える吐水装置が開示されている。この吐水装置によれば、吐水ヘッドの位置調整の自由度が向上する。
【先行技術文献】
【特許文献】
【０００５】
【特許文献１】特開２０００−１４４８３２号公報
【特許文献２】実開平０１−７９６６４号公報
【発明の概要】
【発明が解決しようとする課題】
【０００６】
しかしながら、上述した従来の水栓装置においては次のような問題がある。
【０００７】
特許文献１に記載の技術では、基部の管内に吐水ヘッドに連結されたホースを挿通しているため、基部を一定以上に大きく屈曲させると基部の管内に挿通されたホースも大きく屈曲することとなり、屈曲部を挿通するホースに大きな負担がかかる。また、ホースの引き出し時又は収納時に屈曲部を通るホースの擦過抵抗が大きく、ホースの引き出しや収納がしにくく不便である。
【０００８】
ところで、設置面から延びる立管部と、この立管部に対して略直交して形成されるスパウト部と、を有する全体Ｌ字形状の水栓装置が知られている。この全体Ｌ字状の水栓装置は、その直線的な外観のため意匠性が良い。しかしながら、このような全体Ｌ字状の水栓装置においてスパウト部を引き出し自在のプルアウト式構成を実現することは困難であった。
【０００９】
例えば、スパウト部の途中で分割して先端側スパウト部と立管側スパウト部とし、先端側スパウト部を吐水ヘッドとし、立管部と立管側スパウト部とを吐水ヘッドを取り付けるための基部とする構成が考えられる。しかしながら、この構成では、立管部と立管側スパウト部の間に略直角に屈曲する屈曲部を有するため、上述のように屈曲部を挿通するホースにかかる負担が大きく、ホースの引き出しや収納がしにくい。
【００１０】
また、例えば、立管部の途中で分割してスパウト側立管部と基端側立管部とし、スパウト部とスパウト側立管部を吐水ヘッドとし、基端側立管部を吐水ヘッドを取り付けるための基部とする構成が考えられる。しかしながら、この構成では、略直角に屈曲するスパウト部とスパウト側立管部が吐水ヘッドになるため、吐水ヘッドを引き出して使用する際に、吐水ヘッドに接続されたホースを屈曲させながら使う必要が生じてしまい、使い勝手が悪くなる。
【００１１】
本発明は、前記課題に鑑みてなされたもので、優れた外観意匠を実現するための屈曲部を有する水栓装置において、外観意匠を損なうことなくプルアウト式の吐水ヘッド構造を実現し、更にはプルアウト後の吐水ヘッドの操作性を向上させることを目的とする。
【課題を解決するための手段】
【００１２】
本発明の態様の１つは、設置面に取り付けられる立管形状の基部と、前記基部の管内に挿通されるホースと、前記基部の上端に着脱可能であり前記ホースからの水を吐水する吐水ヘッドと、を備え、前記吐水ヘッドは、前記基部の上端に載置されるように接続部材を介して前記基部に装着され、前記接続部材を介して前記ホースと接続され、前記接続部材によって少なくとも前記基部の管内に挿通された前記ホースの軸と直交する第１の回転軸周りに回転可能に構成され前記基部は、前記設置面よりも上に開口する出入口をなすとともに前記設置面に対して垂直方向に前記ホースを挿通させるホース挿通孔を有し、前記接続部材は、前記基部に装着される装着部と、前記吐水ヘッドとともに前記第１の回転軸を構成する回転軸構成部と、を有し、前記吐水ヘッドが前記基部に装着された状態において、前記装着部を前記基部の内部に収容させるとともに、前記装着部と前記回転軸構成部との間に設けられた鍔状の部分により前記出入口を塞ぎ、前記吐水ヘッドは、前記接続部材によって前記基部の管内に挿通された前記ホースの軸である第２の回転軸周りに回転可能に構成され、前記吐水ヘッドは、前記基部に装着された状態で、前記第１の回転軸による回動、及び前記第２の回転軸による回動が可能であり、前記吐水ヘッドを前記基部に装着した状態において、前記第２の回転軸を、前記基部と同軸とするとともに、前記基部及び前記吐水ヘッドにより、前記第１の回転軸による回動について前記基部と前記吐水ヘッドの間の角度が略９０°の全体Ｌ字型の状態が可能な吐水部を構成することを特徴とする水栓装置である。
【００１３】
このように構成した水栓装置においては、接続部材によって吐水ヘッドが第１の回転軸周りに回転可能に接続されているため、吐水ヘッドを引き出した後も吐水ヘッドの取り回しがしやすく、水栓装置の操作性を向上させることができる。
【００１４】
また、本発明の選択的な態様の１つは、前記吐水ヘッドは、前記接続部材によって前記基部の管内に挿通された前記ホースの軸である第２の回転軸周りに回転可能に構成され、前記接続部材によって構成される前記第１の回転軸と前記第２の回転軸は、前記吐水ヘッドを前記基部に装着した状態で使用可能であり、前記吐水ヘッドを前記基部に装着した状態において、前記第２の回転軸は、前記基部と同軸となることを特徴とする水栓装置である。
【００１５】
このように構成した水栓装置においては、吐水ヘッドを基部に装着した状態においても、第２の回転軸周りに接続部材を回転させて吐水ヘッドをカウンターと略平行な水平面内で首振り回動させたり、第１の回転軸周りで接続部材を回転させて吐水ヘッドをカウンターと略垂直な鉛直面内で首振り回動させたりすることができる。
【００１６】
また、本発明の選択的な態様の１つは、前記接続部材に形成され前記吐水ヘッドと接続される吐水ヘッド接続部と、前記接続部材に形成され前記ホースと接続されるホース接続部と、前記吐水ヘッド接続部を覆う吐水ヘッドカバーと、前記基部に形成され前記ホース接続部を収容する収容凹部と、を備えることを特徴とする水栓装置である。
【００１７】
このように構成した水栓装置においては、接続部材の吐水ヘッド接続部が吐水ヘッドカバーによって覆われており、また、ホース接続部が水栓本体の収容凹部に収容されるため、吐水ヘッドを水栓本体に装着した際には、接続部材を水栓装置の内部に隠すことができる。これにより、接続部材によって実現している第１の回転軸と第２の回転軸を１つの継ぎ目に集約することができ、かつ目立ちにくくすることができるため、水栓装置の外観意匠性を損なうことがない。
【００１８】
なお、上述した水栓装置は、他の装置やシステムに組み込まれた状態で実施されたり他の方法とともに実施されたりする等の各種の態様を含む。
【発明の効果】
【００１９】
本発明によれば、優れた外観意匠性を実現するための屈曲部を有する水栓装置において、外観意匠性を損なうことなくプルアウト式の吐水ヘッド構造を実現し、更にはプルアウト後の吐水ヘッドの操作性も向上させることができる。
【図面の簡単な説明】
【００２０】
【図１】本実施形態に係る水栓装置の外観を示す図である。
【図２】本実施形態に係る水栓装置の外観を示す図である。
【図３】本実施形態に係る水栓装置の分解斜視図である。
【図４】吐水部の拡大斜視図である。
【図５】吐水部の断面図である。
【図６】接続部材の構造を説明する拡大斜視図である。
【図７】吐水ヘッドの動作を説明する図である。
【図８】接続部材側の回転軸構成部の拡大斜視図である。
【図９】吐水ヘッド側の回転軸構成部の拡大斜視図である。
【図１０】回転軸構成部の拡大分解斜視図である。
【図１１】吐水ヘッドの動作と回転軸構成部内の通水路を説明する図である。
【図１２】吐水ヘッド内の通水路を説明する図である。
【発明を実施するための形態】
【００２１】
以下、図面を参照しつつ、本発明の実施形態を説明する。
【００２２】
図１，図２は本実施形態に係る水栓装置１００の外観を示す図、図３は本実施形態に係る水栓装置１００の分解斜視図、図４は吐水部１０の拡大斜視図、図５は吐水部１０の断面図、図６は接続部材４０の構造を説明する拡大斜視図、図７は吐水ヘッド３０の動作を説明する図、図８は回転軸構成部４３の拡大斜視図、図９は回転軸構成部３４の拡大斜視図、図１０は回転軸構成部３４，４３の拡大分解斜視図、図１１は吐水ヘッド３０の動作と回転軸構成部３４，４３内の通水路を説明する図、図１２は吐水ヘッド３０内の通水路を説明する図である。
【００２３】
本実施形態の水栓装置１００は、吐水部１０と水栓本体５０が別体として設けられたセパレート式の水栓装置であり、設置面としてのシンク近傍のカウンターＣに吐水部１０と水栓本体５０とがそれぞれ固定されている。なお、吐水部１０と水栓本体５０とは別体に限るものではなく一体化してもかまわない。
【００２４】
水栓本体５０は、いわゆるシングルレバー水栓であり、給水配管Ｐ１に接続された給水ホースＨ１、給湯配管Ｐ２に接続された給湯ホースＨ２、及び、吐水部１０に接続された吐水ホースＨ３を、カウンターＣの下からそれぞれ接続されている。水栓本体５０は、供給された湯と水を混合するための混合弁を内蔵しており、給水ホースＨ１を介して給水配管Ｐ１から給水を受けるとともに給湯ホースＨ２を介して給湯配管Ｐ２から給湯を受け、混合弁による湯水の混合によって得られた混合水を吐水ホースＨ３を介して吐水部１０へ供給する。
【００２５】
水栓本体５０は、給水配管Ｐ１および給湯配管Ｐ２からの給水及び／又は給湯を受けてその混合量および流量を調整するための操作部として操作レバー５１を有する。例えば、シングルレバー水栓としての水栓本体５０は、操作レバー５１の左右方向への回転操作によって湯水の混合量を調整して吐水温度を調整し、操作レバー５１の前後方向への回転操作によって吐水量の調整を行うことができる。これにより、水栓装置１００の使用者は、操作レバー５１の操作によって吐水部１０から吐水される湯水の吐水量や吐水温度を制御することができる。
【００２６】
吐水部１０は、基端側をカウンターＣに固定された立管形状の基部としての吐水部本体２０、吐水部本体２０の先端側に載置した状態で吐水部本体２０に装着される長尺角材状の外形の吐水ヘッド３０、及び、吐水ヘッド３０を吐水部本体２０に装着する際に吐水ヘッド３０と吐水部本体２０とを連結する接続部材４０を有する。
【００２７】
吐水部本体２０は、基体２１、及び、当該基体２１の外側を覆う筒状に形成されたカバー部２２を有する。基体２１は、基体２１の下部に設けられた取付部２１１、基体２１の基端と先端との間を貫通して設けられたホース挿通孔２１２、ホース挿通孔２１２の基端側の開口の第１ホース出入口２１３、及び、ホース挿通孔２１２の先端側の開口の第２ホース出入口２１４を有する。
【００２８】
取付部２１１は、カウンターＣに設けられた取付孔Ｃ１よりも幅広のフランジ部２１１１、及び、フランジ部２１１１よりも基端側に設けられて取付孔Ｃ１と略同径の管状の雄ねじ部２１１２を有する。雄ねじ部２１１２は外周面にネジ溝が形成されており、この雄ねじ部２１１２をカウンターＣの上面側から取付孔Ｃ１に挿通してフランジ部２１１１の下面をカウンターＣの上面に当接させ、雄ねじ部２１１２に対してカウンターＣの下側から三角パッキン、ワッシャ等を介してナット等の雌ねじ構造を有する部材をねじ込む。これにより、取付部２１１がカウンターＣに固定され、ひいては基体２１がカウンターＣに固定される。このようにして基体２１をカウンターＣに固定した状態において、第１ホース出入口２１３はカウンターＣの下に開口し、第２ホース出入口２１４はカウンターＣよりも上に開口する。
【００２９】
ホース挿通孔２１２内には、カウンターＣの下を通って水栓本体５０から延びる吐水ホースＨ３が第１ホース出入口２１３側から挿通されており、この吐水ホースＨ３は第２ホース出入口２１４に着脱可能に装着される接続部材４０に対して接続される。このため、第１ホース出入口２１３からは吐水ホースＨ３の水栓本体５０へ向けて延びる側が出入りし、第２ホース出入口２１４からは接続部材４０及び吐水ホースＨ３の接続部材４０へ向けて延びる部分が出入りする。ホース挿通孔２１２の径は、全体的に吐水ホースＨ３よりも太く形成されており、ホース挿通孔２１２内に挿通された吐水ホースＨ３は、吐水ヘッド３０の引き出し度合いに応じてホース挿通孔２１２内を挿通方向に沿って進退移動することができる。
【００３０】
接続部材４０は、第２ホース出入口２１４に対して着脱可能に装着される装着部４２と、後述する吐水ヘッド３０の回転軸構成部３４と一体化して吐水ヘッド３０と接続部材４０との間の回転軸（後述する第１の回転軸Ｒ１）を構成する回転軸構成部４３と、を有する。
【００３１】
装着部４２は、基体２１の略円筒状の第２ホース出入口２１４の内径より僅かに小さい外径を有する円筒状であり、装着部４２を第２ホース出入口２１４に挿入することで接続部材４０を吐水部本体２０に対して装着すると、図７に示すように装着部４２が収容凹部としての第２ホース出入口２１４付近のホース挿通孔２１２内に収容されてその円筒軸周りに回転可能に遊嵌される。すなわち、第２ホース出入口２１４付近のホース挿通孔２１２は収容凹部を構成し、第２ホース出入口２１４（又は装着部４２）の円筒軸が第２の回転軸Ｒ２を構成する。なお、この第２の回転軸Ｒ２は、ホース挿通穴２１２に挿通された吐水ホースＨ３の軸と略一致する。
【００３２】
装着部４２には、第２の回転軸Ｒ２の延びる方向において回転軸構成部４３が設けられる側と反対側に向けて開口された開口４２１に対して吐水ホースＨ３の一端が連結されている。この開口４２１を有する装着部４２が本実施形態においてホース接続部を構成する。
【００３３】
具体的には、装着部４２の開口４２１に対し、吐水ホースＨ３の先端部にシール材としての三角パッキンＨ３１を装着して開口４２１内部に向けて押圧した状態とし、吐水ホースＨ３の周面に沿って形成された係合部Ｈ３２に対して装着部４２の外側面に形成された窓部４１１から係止具４１２を遊嵌する。係止具４１２は、窓部４１１の縁に係止されるとともに係合部Ｈ３２にも係止され、吐水ホースＨ３の開口４２１からの抜け止めとして機能する。これにより、吐水ホースＨ３が装着部４２に対してホース軸Ｘ１周りに回転自在に接続される。
【００３４】
従って、吐水部本体２０に吐水ヘッド３０を装着した状態で図６に示す矢印の方向に回転させたり、吐水ヘッド３０を吐水部本体２０から引き出して使用したりする際に、吐水ホースＨ３が捻れにくい構造が実現される。また、窓部４１１から係止具４１２を係合部Ｈ３２に遊嵌するだけで吐水ホースＨ３を装着部４２に対して連結できるため、接続部材４０への吐水ホースＨ３の取り付けや取り外しが容易であり、水栓装置１００の組立作業性や分解メンテナンス性が向上する。
【００３５】
装着部４２には、その外壁に略半球状の凹部４１３が、円周方向に沿って一定の間隔で複数設けられている。
【００３６】
一方、基体２１のホース挿通孔２１２には、その内壁に略半球状の突起２１５が、第２ホース出入口２１４から所定距離の円周方向に沿って一定の間隔で複数設けられている。図５，図６に示す例では、ホース挿通孔２１２の円筒軸に対称な位置にそれぞれ突起２１５が設けられている。これら突起２１５は、装着部４２を基体２１に対して所定の装着状態で装着したときに、第２ホース出入口２１４からの距離が凹部４１３と略一致する位置に設けてある。すなわち、装着部４２を基体２１に装着して第２の回転軸Ｒ２周りに回転すると、いずれかの回転位置で凹部４１３と突起２１５が対面するようにしてある。
【００３７】
突起２１５は、ホース挿通孔２１２の内側面から出没自在に設けてあり、ホース挿通孔２１２に向けて突出する方向へ付勢されている。
【００３８】
具体的には、図５に示すように、基体２１の外側面からホース挿通孔２１２に近づくほど縮径する截頭半球状の孔２１６がホース挿通孔２１２側へ貫通するように形成してあり、孔２１６の入口２１６ａよりも広径であってホース挿通孔２１２側の開口２１６ｂよりも狭径の球体としてのボールベアリング２１７を基体２１の外側から孔２１６に嵌装して、開口２１６ｂからボールベアリング２１７の一部をホース挿通孔２１２側へ突出させて、ボールベアリング２１７を基体２１の外側面側から弾性部材としての環状の板バネ２１８で基体２１に向けて押圧付勢してある。これにより、ホース挿通孔２１２へ突出したボールベアリング２１７の一部が、ホース挿通孔２１２の内側面から出没自在な突起２１５となる。
【００３９】
以上のように、突起２１５と凹部４１３とを設けることにより、ホース挿通孔２１２の中で第２の回転軸Ｒ２周りに装着部４２を回転させたときに、突起２１５と凹部４１３とが対面する回転範囲内では突起２１５が回転方向に沿って凹部４１３への嵌合状態と非嵌合状態とが繰り返されてクリック感が発生し、突起２１５と凹部４１３とが対面しない回転範囲内では、突起２１５の当接対称面に凹部４１３が無いため非嵌合状態が継続してクリック感が発生しない。従って、例えば、所定の回転範囲ではクリック感を発生させ、非所定の回転範囲ではクリック感を発生させないように構成することで、クリック感の有無によって所定の回転範囲と非所定の回転範囲を使用者が識別できるようにすることができる。
【００４０】
回転軸構成部４３は、装着部４２の上端と一体的に構成された一端閉塞円筒状の部位であり、その円筒軸は、装着部４２の第２の回転軸Ｒ２と略直交する方向としてある。この回転軸構成部４３の円筒軸及び後述する回転軸構成部３４の円筒軸が本実施形態において第１の回転軸Ｒ１を構成する。
【００４１】
回転軸構成部４３と装着部４２とをつなぐ連接部４３１には、回転軸構成部４３の内部空間と装着部４２の内部空間との間を連通する連通孔４３２が形成されている。吐水ホースＨ３から装着部４２に供給された湯水は、この連通孔４３２を通って回転軸構成部４３の円筒内に供給される。
【００４２】
吐水ヘッド３０は、主として図３、図４、図１０に示すように、吐水ヘッド３０の外側を覆う吐水ヘッドカバーとしてのカバー部３１、吐水ヘッド３０の基端部３０ｂから先端部３０ａへ連通する通水路ＷＰ２を設けられた通水路形成部３２、吐水ヘッド３０の先端部３０ａに設けられた吐水口３３、及び、吐水ヘッド３０の基端部３０ｂに設けられた回転軸構成部３４を有する。カバー部３１は、下面を開口した矩形箱状であり、本実施形態では通水路形成部３２及び吐水ヘッド接続部としての回転軸構成部３４を覆うように設けられている。以下、図３に示した方向（前後上下左右）を用いて説明する。
【００４３】
回転軸構成部３４は、図９に示すように、通水路形成部３２の後端の一部を刳り抜き状に凹ませた凹部３５１内に設けられている。本実施形態において、凹部３５１は、通水路形成部３２の上側壁部分（以下、上庇部３５３とする。）と右側壁部分（以下、横庇部３５２とする）を残しつつ後端左下から凹ませて設けてある。凹部３５１内において、回転軸構成部３４は、円筒軸を左右方向に配向させて、横庇部３５２から左方へ向けて突出するように設けられた円筒状の部位である。回転軸構成部３４の筒内空間は、横庇部３５２内を通って、通水路形成部３２内の通水路ＷＰ２に連通されている。
【００４４】
回転軸構成部３４は、回転軸構成部４３の内径と略一致する外径を有する。回転軸構成部３４を、オーリング等の水密封止材を介在させつつ回転軸構成部４３の開口４３３へ挿入すると、回転軸構成部３４と回転軸構成部４３とが合体して、回転軸構成部３４が回転軸構成部３４の内部で第１の回転軸Ｒ１の軸周りに回転可能になる。
【００４５】
これにより、吐水部１０は、吐水部本体２０に吐水ヘッド３０を装着した状態において、吐水部本体２０と吐水ヘッド３０の間の角度が略９０°の全体Ｌ字型の状態と、吐水部本体２０と吐水ヘッド３０の間の角度が略１８０°の全体Ｉ字型の状態との間の適宜の角度の状態を実現可能となる。また、吐水部１０は、吐水部本体２０から吐水ヘッド３０を取り外した状態において、吐水部本体２０とホースＨ３の間の角度が略９０°の状態と、吐水部本体２０とホースＨ３の間の角度が略１８０°の状態との間の適宜の角度の状態を実現可能となる。
【００４６】
回転軸構成部３４と回転軸構成部４３は、固定具を用いて合体した状態に固定される。具体的には、凹部３５２の上面から前面にかけて、回転軸構成部３４に合体したときの回転軸構成部４３の円筒の閉塞面４３４側に沿って、溝３５４が形成されている。この溝３５４に固定具としての固定板３６を係合させて、固定板３６の略中央に形成された孔３６１と、回転軸構成部４３の円筒の閉塞面４３４に形成された孔４３６との位置を合わせて、固定具としてのビス３７を孔３６１を通して孔４３６に固定する。これにより、回転軸構成部３４と回転軸構成部４３とを合体した状態に固定することができる。また、固定板３６とビス３７を用いて回転軸構成部３４と回転軸構成部４３の合体状態を固定するため、第１の回転軸Ｒ１及びその内部に形成される通水路ＷＰ３（図１２参照）を、組立やメンテナンスが容易な構造で実現できる。
【００４７】
回転軸構成部４３は、その円筒側面に円筒軸に沿う方向に溝４３５，４３５が一定間隔を空けて形成されている。溝４３５，４３５には、化粧板３８の端部の爪部３８１、３８１を係止することにより、回転軸構成部４３の円筒側面に化粧板３８を固定してある。本実施形態では、庇部３５で覆われない回転軸構成部４３の円筒側面部分を覆うように、化粧板３８を取り付けてある。従って、化粧板３８の表面にカバー部２２やカバー部３１と統一性のある意匠性を付与することにより、水栓装置１００の全体に統一感ある意匠を実現できる。
【００４８】
吐水ヘッド３０は、図１１に示すように、第１の回転軸Ｒ１を軸心として装着部４２（図１１には不図示）に対して一定の角度範囲（図１１では、略９０°〜略１８０°）で回転可能である。この角度範囲において、互いに合体した回転軸構成部４３と回転軸構成部３４の連通孔４３２と通水孔３４１が互いに重複するように構成されている。従って、吐水ヘッド３０と接続部材４０の装着部４２との角度に関わらず、吐水ホースＨ３と回転軸構成部４３の通水路ＷＰ３との間は常に連通した状態になっている。
【００４９】
以上説明したように、水栓本体５０から吐水ホースＨ３を介して接続部材４０へ供給される混合水は、図１１、図１２に示すように、接続部材４０内の通水路ＷＰ１を通って鉛直上方へ流れて回転軸構成部３４，４３の内部へ至り、回転軸構成部３４，４３の内部に形成された通水路ＷＰ３から吐水ヘッド３０内の通水路ＷＰ２を通って吐水ヘッド３０の先端部３０ａへ至り、吐水口３３から吐出される。
【００５０】
以上説明した吐水部本体２０において、回転軸構成部４３は、装着部４２を第２ホース出入口２１４に装着した状態で、第２ホース出入口２１４の外に位置するように設けられている。すなわち、互いに合体して第１の回転軸Ｒ１を構成する回転軸構成部３４と回転軸構成部４３が吐水部本体２０の外に位置するため、第２の回転軸Ｒ２を軸心とした吐水部本体２０に対する吐水ヘッド３０の回転を、吐水ヘッド３０を吐水部本体２０に装着した状態で使用可能である。むろん、第１の回転軸Ｒ１を軸心とした吐水部本体２０に対する吐水ヘッド３０の回転も使用可能である。すなわち、吐水ヘッド３０を吐水部本体２０に装着した状態で、吐水ヘッド３０は、第２の回転軸Ｒ２周りに接続部材４０を回転させてカウンターＣと略平行な水平面内で首振り回動させたり、第１の回転軸Ｒ１周りで接続部材４０を回転させてカウンターＣと略垂直な鉛直面内で首振り回動させたりすることができる。
【００５１】
なお、本発明は上述した実施形態に限られず、上述した実施形態の中で開示した各構成を相互に置換したり組み合わせを変更したりした構成、公知技術並びに上述した実施形態の中で開示した各構成を相互に置換したり組み合わせを変更したりした構成等も含まれる。また，本発明の技術的範囲は上述した実施形態に限定されず，特許請求の範囲に記載された事項とその均等物まで及ぶものである。
【符号の説明】
【００５２】
１０…吐水部、２０…吐水部本体、２１…基体、２１１…取付部、２１１１…フランジ部、２１１２…雄ねじ部、２１２…ホース挿通孔、２１３…第１ホース出入口、２１４…第２ホース出入口、２１５…突起、２１６…孔、２１６ａ…入口、２１６ｂ…開口、２１７…ボールベアリング、２１８…板バネ、２２…カバー部、３０…吐水ヘッド、３０ａ…先端部、３０ｂ…基端部、３１…カバー部、３２…通水路形成部、３３…吐水口、３４…回転軸構成部、３４１…通水孔、３５…庇部、３５１…凹部、３５２…横庇部、３５３…上庇部、３５４…溝、３６…固定板、３６１…孔、３７…ビス、３８…化粧板、３８１…爪部、４０…接続部材、４１１…窓部、４１２…係止具、４１３…凹部、４２…装着部、４２１…開口、４３…回転軸構成部、４３１…連接部、４３２…連通孔、４３３…開口、４３４…閉塞面、４３５…溝、４３６…孔、５０…水栓本体、５１…操作レバー、１００…水栓装置、Ｃ…カウンター、Ｃ１…取付孔、Ｈ１…給水ホース、Ｈ２…給湯ホース、Ｈ３…吐水ホース、Ｈ３１…三角パッキン、Ｈ３２…係合部、Ｐ１…給水配管、Ｐ２…給湯配管、Ｒ１…第１の回転軸、Ｒ２…第２の回転軸、ＷＰ１…通水路、ＷＰ２…通水路、ＷＰ３…通水路、Ｘ１…ホース軸
【図１】
0006543894.tif 000002
【図２】
0006543894.tif 000003
【図３】
0006543894.tif 000004
【図４】
0006543894.tif 000005
【図５】
0006543894.tif 000006
【図６】
0006543894.tif 000007
【図７】
0006543894.tif 000008
【図８】
0006543894.tif 000009
【図９】
0006543894.tif 000010
【図１０】
0006543894.tif 000011
【図１１】
0006543894.tif 000012
【図１２】
0006543894.tif 000013